(57)【要約】【課題】ユーザーが簡単な操作で記録媒体上にバラバラに記録された連続ドラマを順番に再生して見ることができる映像音声記録再生装置を提供する。【解決手段】再生部が再生を終了したら、連続再生制御部が、今再生が終わった映像音声と同じ番組タイトルで、記録された日時が今再生された映像音声に一番近く、かつ記録された日時が今再生された映像音声よりも後である映像音声を記録番組情報管理部に検索させ、もし存在した場合、その映像音声を再生部に送って再生するように再生番組選択部に指示することにより、前記課題を解決する。【選択図】図１
2006074586.tif 000002
【特許請求の範囲】
【請求項１】
複数の番組を記録再生可能な映像音声記録再生装置であって、前記番組の再生時、所定の条件に合致する番組のみ連続的に再生することを特徴とする映像音声記録再生装置。
【請求項２】
映像音声を記録媒体に記録し保存する記録番組保存部と前期記録番組保存部に保存されている映像音声に付随する情報である、記録された日時と番組タイトルと保存媒体上の位置とからなる管理情報を管理する記録番組情報管理部と、前記記録番組情報管理部の管理情報を表示する表示部と、前記表示部に管理情報の一部を表示させたり、表示されている管理情報から再生したい映像音声を選択したりする操作をする操作部と、前記記録番組情報管理部より管理情報を入手し、前記操作部で選択された映像音声が、前期記録番組保存部の記録媒体のどの部分に記録されているかを検索し、検索した映像音声を再生部に送るように前期記録番組保存部に指示をする再生番組選択部と、前期記録番組保存部より送られてきた映像音声を再生する再生部と、前記再生部が再生を終了したことを検出して、今再生が終わった映像音声と同じ番組タイトルで、記録された日時が今再生された映像音声に一番近く、かつ記録された日時が今再生された映像音声よりも後である映像音声を前記記録番組情報管理部に検索させ、もし存在した場合、その映像音声を前期再生部に送るように前期再生番組選択部に指示する連続再生制御部とを有する事を特徴とする映像音声記録再生装置。
【発明の詳細な説明】
【技術分野】
【０００１】
本発明は、記録型ＤＶＤ（デジタル多用途ディスク）やＨＤＤ（ハードディスクドライブ）などのデジタル記録メディアに対してデジタル映像音声情報を記録／再生するＤＶＤレコーダーなどの映像音声記録装置に関するものである。
【背景技術】
【０００２】
近年、ＤＶＤレコーダーの需要が急増し、その中でも、多くのテレビ番組を録画し貯めることができるＨＤＤ内蔵タイプが脚光をあびている。内蔵されるＨＤＤの容量も年々大容量化し、数百のテレビ番組を貯めることができるようになってきている。
【０００３】
以下に従来の映像音声記録再生装置について説明する。図２は従来の映像音声記録再生装置のブロック図を示すものである。図２において、２５は映像音声を記録媒体に記録し保存する記録番組保存部である。２１は記録番組保存部２５に保存されている映像音声に付随する情報である記録された日時と番組タイトルと保存媒体上の位置とからなる管理情報を管理する記録番組情報管理部である。２２は記録番組情報管理部２１の管理情報を表示する表示部である。２３は表示部２２に管理情報を表示させたり、表示されている管理情報から再生したい映像音声を選択したりする操作をする操作部である。２４は記録番組情報管理部２１より管理情報を入手し、操作部２３で選択された映像音声が、記録番組保存部２５の記録媒体のどの部分に記録されているかを検索し、検索した映像音声を再生部２６に送るように記録番組保存部２５に指示をする再生番組選択部である。２６は記録番組保存部２５より送られてきた映像音声を再生する再生部である。
【０００４】
以上のように構成された従来の映像音声記録再生装置について、以下その動作について説明する。
【０００５】
記録番組保存部２５の記録媒体には、ハードディスクを使用しているものが多く、その容量も、２５０Ｇ〜４００Ｇバイトのように大容量化しつつある。そのため、この記録番組保存部２５には、数百という録画した映像音声情報（以降、番組とする）を記録し保存することができ、ユーザーが再生したい番組を選択するには、記録番組情報管理部２１に、番組記録時に同時に記録されたその番組に関する付随情報の一部（記録された日時、番組タイトル）を表示部２２により、テレビ画面などに表示して、操作部２３にて、その画面から再生したい番組を選択する。
【０００６】
操作部２３にて、選択された番組は、再生番組選択部２４に送られ、再生選択部２４は、選択された番組の付随情報を記録番組保存部２５より入手し、操作部２３で選択された番組が、記録番組保存部２５の記録媒体のどの部分に記録されているかを検索し、検索した番組を再生部２６に送るように記録番組保存部２５に指示をする。再生部２６は、記録番組保存部２５から送られてきた番組を再生する。
【０００７】
再生が終了すると、また、次に再生したい番組に関する付随情報を表示部２２により、テレビ画面に表示して、操作部２３にて、その画面から再生したい番組を選択するということを繰り返す。
【０００８】
以上のようにして、ユーザーは簡単に数百とある記録された番組から、自分の見たい番組を選んで再生させることができる。
【特許文献１】特開２００１−２６６４５７号公報
【発明の開示】
【発明が解決しようとする課題】
【０００９】
しかしながら、上述した映像音声記録再生装置では、記録媒体上に毎週放送される連続ドラマなどの連続番組を数回（数話）分録画し貯めて、後でまとめて再生して見ようとしたとき、何度も何度も、テレビ画面に表示された番組付随情報を見ながら選択するという操作を繰り返さなければならず、非常に操作が不便であるという課題を有している。
【００１０】
このような課題に対して、従来（例えば、特開２００１−２６６４５７号公報）では、番組を録画する毎に、記録番組情報管理部２１の中の情報（ＵＴＯＣ情報）を番組名などでソートしなおし、その結果を記録番組情報管理部２１の中の情報（ＵＴＯＣ情報）として書き直すという方法をとっているが、この場合、記録番組情報部２１の中の情報を書き直す際、不意の停電などにより、情報を破壊したり、ＤＶＤ−ＲＷのように書き換え可能回数が少ないメディアに対して何度も書き換えをすることで、メディアの寿命を短くするということが課題とされていた。
【００１１】
本発明は、上記のような課題を解決するために、記録番組情報管理部２１の中の情報の書き換えは行わずに、テレビ画面に表示された番組付随情報を見ながら、操作部にて、見たい連続番組の最初の部分を選択して、連続再生と指令するだけで、同じタイトルの番組を記録された順番に従って自動的に再生できる映像音声記録再生装置を提供することを目的としている。
【課題を解決するための手段】
【００１２】
上記目的を達成するために請求項１の発明は、番組を記録媒体に記録し保存する記録番組保存部と、記録番組保存部に保存されている番組に付随する情報である、記録された日時と番組タイトルと保存媒体上の位置とからなる管理情報を管理する記録番組情報管理部と、記録番組情報管理部の管理情報の一部を表示する表示部と、表示部に管理情報を表示させたり、表示されている管理情報から再生したい映像音声を選択したりする操作をする操作部と、記録番組情報管理部より管理情報を入手し、操作部で選択された番組が、記録番組保存部の記録媒体のどの部分に記録されているかを検索し、検索した番組を再生部に送るように記録番組保存部に指示をする、再生番組選択部と、記録番組保存部より送られてきた番組を再生する再生部と、再生部が再生を終了したことを検出して、今再生が終わった映像音声と同じ番組タイトルで、記録された日時が今再生された映像音声に一番近く、かつ記録された日時が今再生された映像音声よりも後である映像音声を記録番組情報管理部に検索させ、もし存在した場合、その映像音声を再生部に送るように再生番組選択部に指示する連続再生制御部とを備えた構成を有している。
【００１３】
この構成によって、ユーザーは、テレビ画面に表示された番組付随情報を見ながら、見たい番組の最初の部分を選択して、連続再生と指令するだけで、同じタイトルの番組を記録された順番に従って自動的に再生して見ることができるという効果を得ることができる。
【発明の効果】
【００１４】
以上のように請求項１の本発明は、簡単なユーザー操作で、見たい番組の指定した部分から連続して、同じタイトルの番組を記録された順番に従って再生して見ることができるといった優れた効果が得られる。
【発明を実施するための最良の形態】
【００１５】
本発明の請求項１及び２に記載の発明は、番組を記録媒体に記録し保存する記録番組保存部と、記録番組保存部に保存されている番組に付随する情報である、記録された日時と番組タイトルと保存媒体上の位置とからなる管理情報を管理する記録番組情報管理部と、記録番組情報管理部の管理情報の一部を表示する表示部と、表示部に管理情報を表示させたり、表示されている内容から再生したい番組を選択したりする操作をする操作部と、記録番組情報管理部より管理情報を入手し、操作部で選択された番組が、記録番組保存部の記録媒体のどの部分に記録されているかを検索し、検索した番組を再生部に送るように記録番組保存部に指示をする再生番組選択部と、記録番組保存部より送られてきた番組を再生する再生部と、再生部が再生を終了したことを検出して、今再生が終わった番組と同じ番組タイトルで、記録された日時が今再生された番組に一番近く、かつ記録された日時が今再生された番組よりも後である番組を記録番組情報管理部より検索させ、もし存在した場合、その番組を再生部に送るように再生番組選択部に指示する連続再生制御部とを備えたことを特徴としたものである。
【００１６】
これにより、連続再生制御部が、再生番組選択部に対して、一つの番組再生が終わる度に、今再生が終わった番組と同じ番組タイトルで、記録された日時が今再生された番組に一番近く、かつ記録された日時が今再生された番組よりも後である番組を検索させ、存在すれば、それを再生部に送って再生させるように指示することにより、見たい番組の指定した部分から連続して、同じタイトルの番組を記録された順番に従って自動的に再生して見ることができるという作用を有する。
【００１７】
以下に図を用いて本発明の実施の形態を説明する。
【００１８】
（実施の形態１）
図1は本発明での映像音声記録再生装置の構成を示すブロック図である。図３は、記録番組管理情報部の内容の一例であり、図４は、記録番組保存部の記録媒体上の番組記録状態の一例である。
【００１９】
図１において、１５は本装置に入力される番組を記録媒体に記録し保存する記録番組保存部であり、実際に番組の映像音声信号を記録するディスクドライブや信号処理回路などから構成される。使用する記録媒体はＤＶＤはＨＤＤなどを想定しているが、これに限定されるものではない。また、番組映像音声信号の入力は、アンテナからの放送信号でもよいし、他の再生機器に接続し外部入力によって入力する構成でもよい。
【００２０】
１１は記録番組保存部１５に保存されている番組に付随する情報である、記録された日時と番組タイトルと保存媒体上の位置とからなる管理情報を管理する記録番組情報管理部である。
【００２１】
１２は記録番組情報管理部１１の管理情報の一部を表示する表示部であり、例えばテレビジョン受像機に相当する。テレビジョン受像機の画面上に表示する場合は、例えばＯＳＤ（オンスクリーン・ディスプレイ）手段を用いて文字情報やキャラクタ情報を用いて情報を表示することが考えられる。なお、表示装置としてはテレビジョン受像機に限定されるものではない。
【００２２】
１３は表示部１２に管理情報を表示させたり、表示されている内容から再生したい番組を選択したりする操作をする操作部であり、使用者により操作されるものである。操作部としては、例えば装置本体（ＤＶＤレコーダーなど）の前面パネルに装備された各種操作ボタンや、装置本体に対して遠隔操作が可能なリモコンに相当する。
【００２３】
１４は記録番組情報管理部１１より管理情報を入手し、操作部１３で選択された番組が、記録番組保存部１５の記録媒体のどの部分に記録されているかを検索し、検索した番組を再生部１６に送るように記録番組保存部１５に指示をする再生番組選択部である。
【００２４】
１６は記録番組保存部１５より送られてきた番組を再生する再生部である。
【００２５】
１７は再生部１６が再生を終了したことを検出して、今再生が終わった映像音声と同じ番組タイトルで、記録された日時が今再生された番組に一番近く、かつ記録された日時が今再生された番組よりも後である番組を記録番組情報管理部１１より検索させ、もし存在した場合、その番組を再生部１６に送るように再生番組選択部１４に指示する連続再生制御部である。
【００２６】
上記の様に構成された映像音声記録再生装置について、図５のフローチャートも交えて、以下その動作を説明する。
【００２７】
具体的に説明するために、記録管理情報管理部の中には、図３に示した内容が保管され、記録番組保存部の中の記録媒体は、ハードディスクドライブとし、図４にように番組が記録されているものとする。図３はハードディスクに記録された番組の一覧を示すものであり、表示部１２に番組一覧を表示する際は、図中の録画日時と番組タイトルのみとなる。図中右端の「保存媒体上の位置」は、ハードディスク上における記録領域と、各番組とを対応させる情報である。図４はハードディスクにおける記録領域を模式的に示したものであり、Ａ〜Ｔは映像音声信号が記録されている領域（トラックまたはセクタ）を示している。
【００２８】
たとえば、過去にユーザーがハードディスクに録画し、削除などをせずに貯めている番組（連続ドラマなど）を再生して見ようとしたとき、操作部１３を使って、記録番組情報管理部１１に記録されている情報を表示部１２に表示させるように指示すると、表示部１２は、記録番組保存部１５に記録されている番組の一覧表（図３のＮｏ、録画日時、番組タイトルの部分）をテレビ画面などに表示する（図５のステップＳ１）。
【００２９】
次にユーザーが、操作部１３を用いてこの表示の１行目の「トリビアの湖」という連続ドラマを選択して、「連続再生」を指令すると（図５のステップＳ２）、再生番組選択部１４は、記録番組保存部１５から、１行目の「トリビアの湖」が記録されている場所（図４のハードディスク上のＡ〜Ｂの部分）を検索する。検索により記録場所を発見すると、その記録場所に記録された映像音声信号を読み出して再生部１６へ送る。再生部１６は、送られてくる映像音声信号を再生処理することで、１０月１１日に録画した「トリビアの湖」の再生を開始する（図５のステップＳ３）。
【００３０】
再生部１６が、１０月１１日に録画した「トリビアの湖」の再生が終了すると、そのことを連続再生制御部１７に伝える。連続再生制御部１７は、それを受けて、同じタイトル名で、録画日時が一番近く、しかも今再生し終わった番組よりも後に記録された番組がないかどうかを検索する。そしてもし番組が存在したら、それを再生するように再生番組選択部１４に指令する。具体的には、再生番組選択部１４は、記録番組保存部１５から、「トリビアの湖」というタイトル名で、録画日時が１０月１１日に一番近く、しかも今再生し終わった番組よりも後に記録された（つまり１０月１２日以降）番組がないかどうかを検索する。その検索により、該当する番組を見つける（図４のハードディスク上のＬ〜Ｍの部分）ことができれば、その記録場所に記録された映像音声信号を読み出して再生部１６へ送る。再生部１６は、送られてくる映像音声信号を再生処理することで、１０月１８日に記録された「トリビアの湖」の再生を開始する（上記は図５のステップＳ４〜Ｓ８に相当）。
【００３１】
再生部１６が１０月１８日に記録された「トリビアの湖」の再生が終了すると、そのことを連続再生制御部１７に伝える。連続再生制御部１７は、それを受けて、前述同様に、同じタイトル名（トリビアの湖）で録画日時が１０月１８日に一番近く、しかも今再生し終わった番組よりも後（１０月１９日以降）に記録された番組がないかどうかを検索する。そしてもし存在したら、それを再生するように、再生番組選択部１４に指令する。そして、前述同様の手順にて、図３のリストにおける、１０月２５日に録画された「トリビアの湖」の再生を開始する。
【００３２】
再生部１６が８行目の「トリビアの湖」の再生が終了すると、そのことを連続再生制御部１７に伝える。連続再生制御部１７は、それを受けて、同じタイトル名で、録画日時が一番近く、しかも、今再生し終わった番組よりも後に記録された番組がないかどうかと、もし存在したら、それを再生するように、再生番組選択部１４に指令する。
【００３３】
再生番組選択部１４は、記録番組保存部１５から、「トリビアの湖」というタイトル名で、録画日時が一番近く、しかも、今再生し終わった番組よりも後に記録された番組がないかどうかを検索するが、図３のリストにおいてはもう見つからないので、これで再生動作を終了させる（図５のステップＳ９）。
【００３４】
上記の例において、一番初めに記録されている番組の一覧表の５行目（１０月１８日録画）の「トリビアの湖」を選択した場合も同じような動作をして、次に８行目（１０月２５日録画）の「トリビアの湖」を再生した後、終了することは、容易に理解できることである。
【００３５】
以上のように本実施の形態によれば、ハードディスクなどの記録媒体に、同じタイトル名で記録された番組を、自動的に連続再生することができる。よって、記録媒体に録り貯めた連続番組（連続ドラマや毎週録画した番組など）を、録画日時でソートした状態で自動的に連続再生することができるので、見たい番組を手動で検索する手間を省くことができる。また、連続ドラマの場合、ストーリー性を維持しながら視聴することができる。よって、使い勝手や操作性を向上させることができる。
【００３６】
本実施の形態では、記録媒体に記録される番組には、番組タイトルを設定しておく必要があり、この番組タイトルは使用者が任意に入力するものでもよいし、ＥＰＧ（電子番組表）を用いて録画した場合は自動的に番組タイトルが設定されるので、それを用いてもよい。
【００３７】
また、番組タイトルの検索の際、タイトル文字列の完全一致による検索に限らず、部分一致により検索可能にしてもよい。例えば、図３のリストにおいては、「トリビア」という文字列により検索を可能にすることで、番組タイトルを設定する際に、多少ラフに設定しても検索可能にすることができる。
【００３８】
また、本実施の形態では、番組タイトルと録画日時による検索としたが、この他の情報を用いて検索する構成としてもよい。例えば、「ジャンル」などがある。
【産業上の利用可能性】
【００３９】
本発明は、ＤＶＤレコーダーやＨＤレコーダーなどのように、多数の番組を録画可能な機器に利用して有効なものであり、その多数の番組の中から、所望の番組を連続再生することができるものである。
【図面の簡単な説明】
【００４０】
【図１】本発明の実施形態１における映像音声記録再生装置のブロック図
【図２】従来の映像音声記録再生装置のブロック図
【図３】記録番組管理情報部の内容の一例を示す模式図
【図４】記録番組保存部の記録媒体上の番組記録状態の一例を示す模式図
【図５】本発明の実施形態１における動作フローチャート
【符号の説明】
【００４１】
１１    記録番組情報管理部
１２    表示部
１３    操作部
１４    再生番組選択部
１５    記録番組保存部
１６    再生部
１７    連続再生制御部
【図１】
2006074586.tif 000003
【図２】
2006074586.tif 000004
【図３】
2006074586.tif 000005
【図４】
2006074586.tif 000006
【図５】
2006074586.tif 000007